(57)【特許請求の範囲】
【請求項１】
幹糸等を通すための通し孔を有する胴体部とハリスを掛止するための掛止部とを備えた釣用ハリス止め具であって、
前記掛止部には、前記ハリスの端部を挿入するための開口を備えた誘導路と、前記挿入された前記ハリスの端部が抜け出す開放口を有する開放部とが設けられ、
前記ハリスの端部が抜け出す前記開放部の前記開口の中心軸と略平行に設けられた側面にあたる前記掛止部の側部には、前記開放部の開口側から前記開放部の底部へ向かって、前記開口側にはハリスを着脱可能な開放端と、前記底部側にはハリスを掛止可能な非開放端部とを有するスリットが切り込まれたことを特徴とするハリス止め具。
【請求項２】
前記胴体部の底部からみた前記誘導路の開口の中心軸の高さは、前記掛止部の先端面の重心軸の高さよりも低いことを特徴とする請求項１に記載のハリス止め具。
【請求項３】
前記スリットは、前記側部の厚み方向に対して斜めに切り込まれたことを特徴とする請求項１又は２に記載のハリス止め具。
【請求項４】
前記スリットは、前記掛止部の上部からみた場合に、前記掛止部の側部の外面から前記開放部の内面へかけて前記通し孔から遠ざかるように斜めに切り込まれていることを特徴とする請求項３に記載のハリス止め具。
【発明の詳細な説明】
【技術分野】
【０００１】
本発明は、釣糸止め具及び釣糸止め構造に関し、より具体的には、幹糸ないし道糸（以下、「幹糸等」という）に対し枝ハリス（以下、「ハリス」という）を付け外し可能なハリス止め具に関する。
【背景技術】
【０００２】
従来、釣用の仕掛けを作る際に、幹糸等にハリスを連結するためには、幹糸等とハリスとを直接縛ったり、サルカンと呼ばれる金属製の環を介して連結したりしていたが、ハリスが絡み易いという課題や、幹糸等及びハリスそれぞれを環にしっかりと結び付けなければならないといった課題があり、いわゆる「ハリス止め具」と呼ばれる連結具が提案されるようになった。
【０００３】
従来のハリス止め具（例えば、特許文献１）の外観は、凡そ図９に示す通りであった。図に示すハリス止め具９００は、幹糸等を通すビーズ９１０と、このビーズに取り付けられるハリス止め部材９０９とからなる。ハリス止め部材９０９は、弾性を備えた線材を折り曲げ加工して形成され、この線材を２つに折り重ねてその折角を先端部とすると、この先端部がハリス挟み止め部９０５となり、両側辺９０２、９０３の中間部を略半円形状に曲げ出された部分がハリスの導入口９０６となり、線材の両端部を略半円形状に曲げ出された環状部が幹糸等への環状取り付け部９０８となる。そして、この環状取り付け部９０８を包み込むように硬質合成樹脂材等でビーズ９１０を形成し、このビーズ９１０に対して環状取り付け部９０８の中を通る幹糸等通し孔９１１を貫設してハリス止め具９００は完成する。
【０００４】
このようなハリス止め具９００を用いれば、まず第１に、幹糸等通し孔９１１に幹糸９０７を通してからその上下に通し孔９１１の孔径よりも大きくなる結びコブ９１３及び９１４を作ることにより、ビーズ９１０の上下動を防止することができ、第２に、端部に結びコブを作ったハリス９０４を導入口９０６に挿通してからこの端部をハリス挟み止め部９０５の先端部まで引き込むことにより、ハリス９０４は両側辺９０２、９０３から抜けない様に挟持され、簡便にハリスを幹糸等に連結することが可能になるうえ、さらには、幹糸等を軸とする回転の方向には回転自在であってハリスを軸とする回転の方向には回転し難いという特徴を有するハリス止めを提供することができる。
【０００５】
ところが、特許文献１に開示されたハリス止め具ではハリスを繰り返し付け外すとハリス挟み止め部９０５を形成する線材間が広がるなどして挟持したハリスが外れてしまいやすくなり、仮に硬度の高い線材を使用した場合には付け外しが困難になる等の課題が指摘され、これら課題を解決するハリス止め具が出願人自身により提案されるに至った（特許文献２）。
【０００６】
特許文献２に開示されたハリス止め具は、幹糸等を通すための通し孔を有する胴体部とハリスを掛止するための掛止部とを備えた釣用ハリス止め具であって、前記掛止部には、前記ハリスの端部を挿入するための開口を備えた誘導路と、前記挿入された前記ハリスの端部が抜け出す開口とが設けられ、前記ハリスの端部が抜け出す開口のうち、前記胴体部から最も遠い位置から前記ハリスの端部を挿入するための開口へ向かって、前記誘導路と連通するスリットが切り込まれ、前記スリットの長さは、前記スリットの、前記ハリスの端部を挿入するための開口側の端部から前記誘導路までの距離（ハリスの掛かり長さ）よりも長くなるように構成されたことを特徴としている。
【０００７】
図１０を参照しながら特許文献２に開示されたハリス止め具の外観構造を説明すると、同図において、ハリス止め具１０００は、大別して、胴体部１０１０１とハリス掛止部１０１０２とからなり、同図に示す通り、胴体部１０１０１の上下を貫通する幹糸等通し孔１１０１１には幹糸１０００９が通されている。
【０００８】
図１０において、ハリス掛止部１０１０２は、胴体部１０１０１の中央部から幹糸等通し孔１１０１１に対し略垂直に突設されてなり、その先端面には挿入口１１０２１が設けられている。挿入口１１０２１は、ハリス掛止部１０１０２の先端面より略円形状の開口と所定の深さとを伴って設けられ、開放口１１０２２と連通している。開放口１１０２２は、ハリス掛止部１０１０２の上面から矩形状の開口を伴って設けられた開放穴である。また、ハリス掛止部１０１０２の胴体部１０１０１との連接部分と、開放口１１０２２との間には、ハリス掛止部１０１０２を上下に貫通する第２誘導路１１０２３が貫設されている。
【０００９】
また、図１０に示す通り、第２誘導路１１０２３の内側面上の線分のうち、胴体部１０１０１から最も遠くなる線分位置から、幹糸等通し孔１１０１１を含む平面に沿って、挿入口１１０２１と開放口１１０２２との連通面に達するまで、スリット１１０２４が設けられている。このスリット１１０２４により、開放口１１０２２と第２誘導路１１０２３とは、スリット幅の空隙で連通する。さらに、開放口１１０２２の底部（開口と反対の底面）にもスリット１１０２４が切り込まれることとなり、開放口１１０２２の底部からハリス掛止部１０１０２の底部まで、スリット幅の空隙で貫通された状態となる。
【００１０】
スリット１１０２４の幅は、使用されるハリスの太さよりもやや狭く（ハリス自体を挟持できるほどの狭さに）設計される。一例として、カワハギ釣りでは、一般に２〜４号ハリスが使用されることが多く、これを対象として製造する場合には、２〜４号ハリスの太さ（０．２３５〜０．３３０ｍｍ）を挟持できる程度の幅に設計される。なお、ハリスに結びコブを作った場合には、この結びコブがスリット１１０２４をすり抜けることはできない程のスリット幅である。
【００１１】
そして、特許文献２に開示されたハリス止め具によれば、魚が掛かった場合にハリスが外れ難い一方で糸の絡まりが少なく、ハリスそのものの取り付け及び取り外しを簡便に行うことができるハリス止め具を提供することができる。
【先行技術文献】
【特許文献】
【００１２】
【特許文献１】特開２００１−１９７８５４号公報
【特許文献２】特許第５１７２０３６号明細書
【発明の概要】
【発明が解決しようとする課題】
【００１３】
しかしながら、特許文献１に開示されたハリス止め具では、釣る魚によっては、魚が暴れるとハリスが外れやすいという課題があったことは上述したとおりである。例えば、カワハギはフグ目・カワハギ科に分類される美味な食用魚で釣人にも人気があるが、丈夫な皮に覆われて全長は最大で３０ｃｍほどにもなり、小さい口ながら頑丈な歯を持ち、竿の引きも強く、針に掛かかると海面方向（上方）にも元気に暴れて勢いハリス止め具からハリスが外れて逃してしまうといった課題があった。
【００１４】
一方で、出願人自身により提案された特許文献２においては、特許文献１に開示されたハリス止め具に比べると、魚が掛かった場合のハリスの外れ難さや糸の絡まり難さは格段に向上し、ハリスそのものの取り付け及び取り外しの容易さも向上したものの、取り付け及び取り外しにかかる時間を一層短縮可能な改良されたハリス止め具が求められていた。例えば、釣り競技では、ハリス止め具へのハリスの取り付けや取り外しには一刻を争うものであり、こうした競技レベルでのハリスの取り付け時間を仮に数秒短縮できるとすれば、大きな意味を持っている。
【課題を解決するための手段】
【００１５】
本発明は、幹糸等を通すための通し孔を有する胴体部とハリスを掛止するための掛止部とを備えた釣用ハリス止め具であって、前記掛止部には、前記ハリスの端部を挿入するための開口を備えた誘導路と、前記挿入された前記ハリスの端部が抜け出す開口を有する開口部とが設けられ、前記ハリスの端部が抜け出す前記開口部の側面にあたる前記掛止部の側部には、前記開口部の開口側から前記開口部の底部へ向かってスリットが切り込まれたことを特徴とする。
【００１６】
また、前記胴体部の底部からみた前記誘導路の開口の中心軸の高さは、前記掛止部の先端面の重心軸の高さよりも低いことを特徴とする。
【００１７】
また、前記スリットは、前記側部の厚み方向に対して斜めに切り込まれたことを特徴とする。
【００１８】
また、前記スリットは、前記掛止部の上部からみた場合に、前記掛止部の側部の外面から前記開放部の内面へかけて前記通し孔から遠ざかるように斜めに切り込まれていることを特徴とする。
【発明の効果】
【００１９】
本発明により、魚が掛かった場合にハリスが外れ難い一方で糸の絡まりが少なく、ハリスそのものの取り付け及び取り外しを簡便に、かつ、従来のものと比較して迅速に行うことができ、釣り競技での使用にも耐えうるハリス止め具を提供することができる。
【図面の簡単な説明】
【００２０】
【図１】本発明の一実施形態に係るハリス止め具の外観構成を説明する外観斜視透視図である。
【図２】本発明の一実施形態に係るハリス止め具の上面を説明する上面透視図である。
【図３】本発明の一実施形態に係るハリス止め具の側面を説明する側面透視図である。
【図４】本発明の一実施形態に係るハリス止め具の正面を説明する正面透視図である。
【図５】図２に示した本発明の一実施形態に係るハリス止め具のＡ−Ａ線での断面を説明する断面図である。
【図６】本発明の一実施形態に係るハリス止め具にハリスを掛止する手順を説明する説明図である。
【図７】本発明の一実施形態に係るハリス止め具にハリスが掛止された様子を説明する外観斜視透視図である。
【図８】本発明の一実施形態に係るハリス止め具を使用した仕掛けの例を説明する説明図である。
【図９】従来のハリス止め具の外観構成を説明する外観斜視図である。
【図１０】従来の他のハリス止め具の外観構成を説明する外観斜視図である。
【発明を実施するための形態】
【００２１】
本発明に係るハリス止め具及びその実施例について、図面を参照しながら説明する。
【実施例１】
【００２２】
図１に、本発明の一実施形態に係るハリス止め具の外観構成を示す。図において、ハリス止め具１００は、大別して、胴体部１０１とハリス掛止部１０２とからなり、図に示す通り、胴体部１０１の上下を貫通する幹糸等通し孔１０１１には幹糸９が通されている。
【００２３】
図１において、ハリス掛止部１０２は、胴体部１０１の中央部から幹糸等通し孔１０１１に対し略垂直に突設されてなり、その先端面には挿入口１０２１が設けられている。挿入口１０２１は、ハリス掛止部１０２の先端面より略円形状の開口と所定の深さとを伴って設けられ、開放口１０２２と連通している。開放口１０２２は、詳細な構造は後述するが、ハリス掛止部１０２の上面から矩形状の開口を伴って設けられた開放穴部（ないし開放部）である。
【００２４】
また、開放口１０２２が設けられたハリス掛止部１０２の側部には、図中上方から見て同側部の厚み方向に対してやや斜めに切り込みを入れるような形でスリット１０２３が同側部の上下方向に設けられている。
【００２５】
スリット１０２３の幅は、使用されるハリスの太さよりもやや狭く（ハリス自体を挟持できるほどの狭さに）設計される。一例として、カワハギ釣りでは、一般に２〜４号ハリスが使用されることが多く、これを対象として製造する場合には、２〜４号ハリスの太さ（０．２３５〜０．３３０ｍｍ）を挟持できる程度の幅に設計される。なお、ハリスに結びコブを作った場合には、この結びコブがスリット１０２３をすり抜けることはできない程のスリット幅である。
【００２６】
また、本発明に係るハリス止め具は、金型により樹脂成型して製作される。樹脂成型により製作されたハリス止め具により、上記スリット幅で成型されたスリットは絶妙な挟持力を以ってハリスを挟持することができる。なお、本発明に係るハリス止め具は、自動落下成型品として成型することができる。
【００２７】
図２は、本発明の一実施形態に係るハリス止め具１００の上面を説明する上面透視図である。開放口１０２２が設けられたハリス掛止部１０２の側面のうち、同図中では下側の側部上であって、挿入口１０２１と開放口１０２２との連接面と、胴体部１０１との中央線よりも挿入口１０２１寄りの位置に、同側部の厚みに対して斜めに切り込まれたスリット１０２３が確認できる。
【００２８】
ここで、スリット１０２３は、同図において、ハリス掛止部１０２側部の外面から開放口１０２２の内面へかけて幹糸等通し孔１０１１から遠ざかるように斜めに設けられている。これとは反対に、幹糸等通し孔１０１１から開放口１０２２の内面へかけて幹糸等通し孔１０１１へ近づくように斜めに設けることもできる。
【００２９】
なお、図２においては、ハリス掛止部１０２の下側の側部上にスリット１０２３が設けられているが本発明はこれに制限されるものではなく、同図において、ハリス掛止部１０２の上側の側部上（つまり、同図においてスリットが設けられている側部と反対側の側部上）にスリット１０２３を設けることもできる。
【００３０】
図２において、胴体部１０１の径の長さ（以下、「径」という）はＷ１であり、幹糸等通し孔１０１１の径はφ１である。また、ハリス掛止部１０２の先端部の横幅はＷ２であり、ハリス掛止部１０２の先端面に設けられた挿入口１０２１の径はφ２である。また、ハリス掛止部１０２の根元部分は、開放口１０２２によって生じた空洞に対する強度を高めるため、Ｗ２よりも太く、胴体部１０１の径と略同じ幅Ｗ１を有するように設計されている。
【００３１】
図３は、本発明の一実施形態に係るハリス止め具の側面を説明する側面透視図である。図２と重複する部分又は長さについては説明を割愛する。図３において、胴体部１０１の高さは、Ｈ１＋Ｈ２であり、ハリス掛止部１０２の高さは、Ｈ３＋Ｈ４である。そして、胴体部１０１の底部からＨ２＋Ｈ５（或いは、ハリス掛止部１０２の底部からＨ４＋Ｈ５）の高さに挿入口１０２１の中心軸が一致するように設計される。挿入口１０２１の長さ（開口からみた深さ）はＬ１であり、挿入口１０２１と連通する開放口１０２２の上部開口の一辺（挿入口１０２１の深さ方向に沿う一辺）の長さはＬ２である。
【００３２】
図３に示される通り、開放口１０２２の内部には、同図の断面構成上、挿入口１０２１側からみて、底部１０２４と、斜面部１０２５と、斜面部１０２５の上部に胴体部１０１の外壁部によって構成される壁部１０２６とが確認できる。挿入口１０２１の入り口から挿入されたハリスは、開放口１０２２の斜面部１０２５及び／又は壁部１０２６に案内されて開放口１０２２上部へと容易に誘導される。
【００３３】
このとき、底部１０２４と壁部１０２６のいずれか一方もしくはその両方を省略することができ、両方を省略した場合の斜面部１０２５の傾斜角θは、ｔａｎθ＝Ｈ３／Ｌ２を満たすθとなる（ハリスの通し方については、後述）。
【００３４】
図３において、ハリス掛止部１０２の先端面から胴体部１０１との連接部までの長さはＬ３であり、ハリス掛止部１０２の先端面から胴体部１０１の中心軸までの長さはＬ４である。
【００３５】
さらに、図３に示されるように、挿入口１０２１の中心軸は、ハリス掛止部１０２先端面の中心軸ないし重心軸よりもやや下方にくるように設計されている。これは、挿入口１０２１の中心軸をハリス掛止部１０２先端面の中心軸ないし重心軸に一致させた場合に比べ、挿入口１０２１の上端の高さからスリット１０２３の上端の高さまでの長さが長くなるため、いったんセットされたハリスが外れにくくなるという効果を奏する。
【００３６】
図４は、本発明の一実施形態に係るハリス止め具の正面を説明する正面透視図である。図２、３と重複する部分又は長さについては説明を割愛する。図３にも現れているが、図４において、挿入口１０２１の中心軸は、ハリス掛止部１０２の底部からＨ４＋Ｈ５の高さに一致するよう設計されており、この中心軸は、ハリス掛止部１０２の断面重心の高さよりも低くなるよう設計されている。すなわち、Ｈ４＋Ｈ５＜（Ｈ３＋Ｈ４）／２（或いは、Ｈ４＜（Ｈ３−２＊Ｈ５））となる。
【００３７】
このように設計することにより、ハリスをスリットに掛止した場合のハリス掛かりマージン（スリット１０２３上のハリスの掛かりマージンであって、挿入口１０２１上部からスリット１０２３への垂線とスリット１０２３との交点からスリット１０２３上端までの長さ。図４において、その長さは、Ｈ３−φ２である）をより多く取ることができ、ハリスが外れにくい構造を実現することができる。
【００３８】
図５は、図２に示した本発明の一実施形態に係るハリス止め具のＡ−Ａ線での断面図である。図５に示されるように、挿入口１０２１の中心軸は、ハリス掛止部１０２先端面の中心軸よりもやや下方にくるように構成されていることが分かる。また、開放口１０２２内の壁部には、図３でははっきりと確認できないエグリ部分が表れているが、本発明はこの形状に限定されるものではなく、場合よって樹脂成型の過程で生じることがあるものである。つまり、壁部の長さの調整（設計）によって（場合によっては、壁部を限りなく無くすように斜面部を設計することにより）、このエグリ部を実質的に取り除くことができる。したがって、このエグリ部分でハリスが支えてしまうということはない。
【００３９】
以上述べた通り、本発明の一実施形態に係るハリス止め具の各寸法を変数で表したが、各変数に対応する具体的な寸法例について、最も好適な例を以下に示す。単位はｍｍである。下表の各寸法によって決まる長短の関係については、一部例を挙げて上述したように、全て設計上の意味を有する。
【表１】
0005711844.tif 000002
なお、スリット１０２３の長さは２．５（ｍｍ）である。また、スリット１０２３の幅は、好ましくは、０．２２〜０．２５（ｍｍ）であり、より好ましくは、０．２２〜０．２３（ｍｍ）である。
【００４０】
図６に、本発明の一実施形態に係るハリス止め具にハリスを掛止する手順を示す。まず、図６（ａ）において、ハリス６の端部を挿入口１０２１内へ進入させる。ハリス６の端部は挿入口１０２１を通過し、開放口１０２２内の傾斜面（斜面部）に当たって上部へ誘導され、ハリスは、いったん開放口１０２２の上部開口からハリス掛止部１０２の外部へ出る（図６（ｂ））。
【００４１】
次に、図６（ｃ）において、ハリス６の任意の部分をハリス掛止部側面に設けられたスリット１０２３を挟み込ませる。次に、スリット１０２３に挟み込ませたハリス６をスリット１０２３の上部から下部へ通過させ（図６（ｄ））、さらにスリット１０２３の下端部からハリス掛止部１０２の外部へと通す。
【００４２】
そして、ハリス６の端部に結びコブ６１を作り、結びコブ６１を作った反対側の挿入口１０２１側からハリス６を徐々に引っ張る（図６（ｅ））。
【００４３】
挿入口１０２１側からハリス６をさらに引っ張り、結びコブ６１をスリット１０２３の下端部まで一杯に引き寄せ、結びコブから伸びる余ったハリスを短く切るなどしてハリスの掛止は完了する。
【００４４】
なお、図６に示した手順では図６（ｅ）において結びコブ６１を作ったが、本発明はこの手順に限定されるものではない。例えば、ハリスの先端がやや細く、スリットの中に入ってしまいやすい場合には、予め結びコブを作っておくと良い。
【００４５】
また、ハリス６を本発明に係るハリス止め具から取り外す場合には、結びコブ６１を少し引っ張ってスリット１０２３上部へと逃してやり、スリットから外れたハリス６を挿入口１０２１から引っ張ってやると簡単に取り外すことができる。
【００４６】
図７に、本発明の一実施形態に係るハリス止め具にハリスが掛止された様子を示す。結びコブを有するハリス端部が、スリット下端部までしっかりと引き寄せられ、ハリス掛止部の側部の上下方向に略垂直に、かつ、同側部の厚み方向に対して斜めに切り込まれたスリット溝に挟持されたハリスは、掛った魚が暴れても容易なことでは外れない。一方で、釣り人が上記の方法で外そうとすれば短時間に容易に取り外すことができる。
【００４７】
図８に、本発明の一実施形態に係るハリス止め具を使用した仕掛けの例を示す。図８において、仕掛け８００は、幹糸８１が通され、各々ハリスが掛止されたハリス止め具１００ａ、１００ｂ、１００ｃを有し、幹糸８１の先端部には錘８３が取り付けられている。また、ハリス止め具１００ａを通る幹糸８１の上下には幹糸通し孔よりも大きい結びコブ８２ａ及び８２ｂが作られハリス止め具１００ａが上下に移動してしまうのを防止している。同様の目的で、ハリス止め具１００ｂの上下には結びコブ８２ｃ及び８２ｄが作られ、ハリス止め具１００ｃの上下には結びコブ８２ｅ及び８２ｆが作られている。
【００４８】
なお、仕掛けの例は、図８に示した例に限定されるものではなく、釣りの目的に応じた様々な仕掛けに本発明に係るハリス止め具を採用することができる。例えば、本発明に係るハリス止め具は、後述する他のバリエーションのものも含め、ハリスのみならず、イカ釣り用の針であるイカツノを掛止するのにも適しており、この場合には、本発明に係るハリス止め具を使ってイカ釣り用の仕掛けを作ることもできる。
その他にも、本発明に係るハリス止め具は、メバルやアジなどの小物と呼ばれる魚釣りにも広く使用することができ、サビキを含めた他の仕掛けに採用することもできる。
【００４９】
次に、本発明の他の実施例に係るハリス止め具について説明する。以下に説明する他の実施例は、上述したハリス止め具と共通する本質的特徴を備えた本発明のバリエーションである。
【実施例２】
【００５０】
本発明に係るハリス止め具は、典型的には、金型による樹脂成型により製作されることは既に述べたが、かかる樹脂製のハリス止め具に様々な着色を付すこともできる。赤、青、緑などの着色をしたり、蛍光塗料を樹脂材料に混ぜ込んで蛍光着色したりすると魚が興味をもって寄ってくることが期待できる。
【００５１】
また、蛍光着色する場合において、本発明に係るハリス止め具は、ハリス掛止部にも金属を使用せずその全体が樹脂で出来ているため、より大きな体積を蛍光させることが可能となり、釣りにおいて仕掛けを蛍光ないし発光させることの作用効果を増大させることができる。
【００５２】
［組み合わせ］
本明細書（特許請求の範囲、要約、及び図面を含む）に記載された構成要件については、これらの特徴が相互に排他的である組合せを除き、任意の組合せで組み合わせることができる。
【００５３】
［特徴の一例］
本明細書（特許請求の範囲、要約、及び図面を含む）に記載された特徴の各々（例えば、貫通孔が上下に貫通するように設けられるか、或いは左右に貫通するように設けられるか等）は、明示的に否定されない限り、同一の目的、同等の目的、または類似する目的のために作用する代替の特徴に置換することができる。したがって、明示的に否定されない限り、開示された特徴の各々は、包括的な一連の同一又は均等となる特徴の一例にすぎない。
【符号の説明】
【００５４】
１００  ハリス止め具
１０１  胴体部
１０１１  幹糸等通し孔
１０２  ハリス掛止部
１０２１  挿入口
１０２２  開放口（開放部）
１０２３  スリット
９  幹糸
【要約】      （修正有）【課題】ハリスが外れ難い一方で糸の絡まりが少なく、ハリスそのものの取り付け等を簡便かつ迅速に行うことができるハリス止め具を提供する。【解決手段】幹糸９等を通すための通し孔１０１１を有する胴体部１０１とハリスを掛止するための掛止部１０２とを備えた釣用ハリス止め具１００であって、前記掛止部には、前記ハリスの端部を挿入するための開口を備えた挿入口１０２１と、前記挿入された前記ハリスの端部が抜け出す開口を有する開口部１０２２とが設けられ、前記ハリスの端部が抜け出す前記開口部の側面にあたる前記掛止部の側部には、前記開口部の開口側から前記開口部の底部へ向かってスリット１０２３が切り込まれたことを特徴とする。【選択図】図１【図１】
0005711844.tif 000003
【図２】
0005711844.tif 000004
【図３】
0005711844.tif 000005
【図４】
0005711844.tif 000006
【図５】
0005711844.tif 000007
【図６】
0005711844.tif 000008
【図７】
0005711844.tif 000009
【図８】
0005711844.tif 000010
【図９】
0005711844.tif 000011
【図１０】
0005711844.tif 000012